(57)【要約】【課題】  材料コストが高くなることを回避することができるだけでなく、重量の重い衣類であっても、変形することなく、確実に吊り下げることができる紙製ハンガーを提供する点にある。【解決手段】  衣類の左右の肩の部分を掛ける肩掛け部２，３を備えた本体部４と、本体部４から上方に延びる吊り下げ用のフック部５とを一枚の紙材から構成してなる紙製ハンガーにおいて、フック部５の左右両端のそれぞれに左右方向外方側へ延びる延出部６，７を備えさせ、それら延出部６，７を左右両端の折り曲げ部８，９を介してフック部５にそれの同一面側で交互に折り重ねるとともに、先に折り重ねた一方の延出部６に対して後から折り重ねる該他方の延出部７の左右方向遊端部を連結するための連結手段Ａを備えさせた。【選択図】        図１
2006254936.tif 000002
【特許請求の範囲】
【請求項１】
衣類の左右の肩の部分を掛ける肩掛け部を備えた本体部と、この本体部から上方に延びる吊り下げ用のフック部とを一枚の紙材から構成してなる紙製ハンガーにおいて、前記フック部の左右両端のそれぞれに左右方向外方側へ延びる延出部を備えさせ、それら延出部を左右両端の折り曲げ部を介してフック部にそれの同一面側で交互に折り重ねるとともに、該先に折り重ねた該一方の延出部に対して後から折り重ねる該他方の延出部の左右方向遊端部を連結するための連結手段を備えさせてなる紙製ハンガー。
【請求項２】
前記連結手段を、前記一方の延出部に形成した係止孔と、この係止孔に差し込まれて係止保持され、前記他方の延出部の左右方向遊端部に形成された係止部とから構成してなる請求項１記載の紙製ハンガー。
【請求項３】
前記係止孔が形成された一方の延出部を前記フック部側に折り曲げてから前記他方の延出部を折り曲げ、前記他方の延出部の係止部を前記一方の延出部の係止孔に差し込んで該差し込まれた係止部が該一方の延出部の内面と前記フック部の内面との間に位置させてなる請求項２記載の紙製ハンガー。
【請求項４】
前記他方の延出部の下端に、該延出部をフック部側に折り曲げたときに前記本体部に重複する下側延出部を備えさせ、前記下側延出部を前記本体部に係止保持させるための係止孔を該本体部に形成してなる請求項１〜３のいずれかに記載の紙製ハンガー。
【請求項５】
前記本体部に、衣類を二つ折り状態で掛けるための開口を備えさせ、前記本体部の上端に上方に延びる上側突出部を備え、前記上側突出部を前記本体部の上端の折り曲げ線を介して折り曲げることにより、該上側突出部の先端部が下向きとなって前記開口へ突出し、前記開口に掛けられた衣類を該開口とで挟み込むための挟持部を構成してなる請求項１に記載の紙製ハンガー。
【請求項６】
前記開口を形成する周縁のうちの下側縁を、前記本体部の下端から下方に延びる下側突出部を該本体部側へ折り曲げることにより、衣類支持用補強部を構成し、前記折り曲げられた下側突出部の左右両側に備えさせた一対の係止部を、前記周縁の左右側縁に形成の係止孔に差し込み自在に構成し、前記係止部を前記係止孔に差し込んだ状態において前記挟持部を前記本体部側へ移動させて位置決めするための接当部を該係止部に備えさせてなる請求項５に記載の紙製ハンガー。
【請求項７】
前記フック部の左右両側に延出された延出部の遊端部同士の寸法を、前記本体部の左右幅寸法とほぼ同等又は該左右幅寸法よりも小さく設定してなる請求項１〜６のいずれかに記載の紙製ハンガー。
【発明の詳細な説明】
【技術分野】
【０００１】
本発明は、衣類の左右の肩の部分を掛ける肩掛け部を備えた本体部とこの本体部から上方に延びる吊り下げ用のフック部とを一枚の紙材から構成してなる紙製ハンガーに関する。尚、前記一枚の紙材としては、段ボール、板紙などの紙単体でもよいし、紙の強度を高めるためにそれらを積層して一体化したものや、合成樹脂フィルムを積層した複合紙であってもよい。
【背景技術】
【０００２】
上記紙製ハンガーは、衣類販売時に店頭に展示するための衣類を掛けるために使用したり、クリーニング業者がクリーニング済衣類を吊り下げておくために使用され、プラスチック製のハンガーとは異なり、使用後は容易に廃棄できることから、近年注目されている。その一例として、一枚のシートに、それの中央部に形成の二つ折り用の中央線を挟んで両側のそれぞれに、折れ線、切込線、打ち抜き孔、把持孔を備えさせ、中央線にて折り曲げてほぼ同一形状でなる一対のハンガー形成用部分を重ね合わせてから、一方の打ち抜き孔に備えさせた連接フラップに形成の差し込み孔に、他方の打ち抜き孔に備えさせたフラップの先端を差し込んで、紙製ハンガーを構成することができるようになっている（例えば、特許文献１参照。）。
【特許文献１】実開平４−２７８７５号公報（図１〜図３）
【発明の開示】
【発明が解決しようとする課題】
【０００３】
上記特許文献１の紙製ハンガーでは、ほぼ同一の大きさの二枚分の面積を有する紙を中央線で折り曲げて重ね合わせる構成であるため、１つの紙製ハンガーを作製する場合に２倍の紙を必要とし、材料コストが高くかかる不都合があった。
又、２枚の紙を重ね合わせることによって、１枚の紙で構成するものに比べて、ハンガー全体の強度アップをどの部位においてもほぼ同程度に高めることができるのであるが、ハンガーの場合、特に吊り下げ部にかかる荷重が大きいため、衣類の重量によっては吊り下げ部が早期に変形してしまい、使用することができない場合があり、改善の余地があった。
【０００４】
本発明が前述の状況に鑑み、解決しようとするところは、材料コストが高くなることを回避することができるだけでなく、重量の重い衣類であっても、変形することなく、確実に吊り下げることができる紙製ハンガーを提供する点にある。
【課題を解決するための手段】
【０００５】
本発明は、前述の課題解決のために、衣類の左右の肩の部分を掛ける肩掛け部を備えた本体部と、この本体部から上方に延びる吊り下げ用のフック部とを一枚の紙材から構成してなる紙製ハンガーにおいて、前記フック部の左右両端のそれぞれに左右方向外方側へ延びる延出部を備えさせ、それら延出部を左右両端の折り曲げ部を介してフック部にそれの同一面側で交互に折り重ねるとともに、該先に折り重ねた該一方の延出部に対して後から折り重ねる該他方の延出部の左右方向遊端部を連結するための連結手段を備えさせて、紙製ハンガーを構成した。
上記のようにフック部の左右両端のそれぞれに備えさせた延出部を交互にフック部に折り重ねて両延出部を連結手段にて連結することによって、フック部を上から見て（平面視において）少なくとも環状（リング状）に構成することができ、フック部の強度アップを図ることができる。しかも、折り曲げた両延出部が折り曲げる前の状態側へ戻ろうとする力（復元力）によって、両延出部及びフック部のそれぞれが、左右方向中央部側ほど膨れた湾曲姿勢になることから、直線姿勢のものに比べて強度アップを図ることができるだけでなく、例えばフック部を固定部材に引っ掛けて衣類を吊り下げた状態において互いに間隔を開けて拡がったフック部と延出部とで安定良く吊り下げ支持することができる。
【０００６】
前記連結手段を、前記一方の延出部に形成した係止孔と、この係止孔に差し込まれて係止保持され、前記他方の延出部の左右方向遊端部に形成された係止部とから構成してもよい。
【０００７】
前記係止孔が形成された一方の延出部を前記フック部側に折り曲げてから前記他方の延出部を折り曲げ、前記他方の延出部の係止部を前記一方の延出部の係止孔に差し込んで該差し込まれた係止部が該一方の延出部の内面と前記フック部の内面との間に位置させてもよい。
【０００８】
前記他方の延出部の下端に、該延出部をフック部側に折り曲げたときに前記本体部に重複する下側延出部を備えさせ、前記下側延出部を前記本体部に係止保持させるための係止孔を該本体部に形成してもよい。
【０００９】
前記本体部に、衣類を二つ折り状態で掛けるための開口を備えさせ、前記本体部の上端に上方に延びる上側突出部を備え、前記上側突出部を前記本体部の上端の折り曲げ線を介して折り曲げることにより、該上側突出部の先端部が下向きとなって前記開口へ突出し、前記開口に掛けられた衣類を該開口とで挟み込むための挟持部を構成してもよい。
【００１０】
前記開口を形成する周縁のうちの下側縁を、前記本体部の下端から下方に延びる下側突出部を該本体部側へ折り曲げることにより、衣類支持用補強部を構成し、前記折り曲げられた下側突出部の左右両側に備えさせた一対の係止部を、前記周縁の左右側縁に形成の係止孔に差し込み自在に構成し、前記係止部を前記係止孔に差し込んだ状態において前記挟持部を前記本体部側へ移動させて位置決めするための接当部を該係止部に備えさせてもよい。
【００１１】
前記フック部の左右両側に延出された延出部の遊端部同士の寸法を、前記本体部の左右幅寸法とほぼ同等又は該左右幅寸法よりも小さく設定してもよい。
【発明の効果】
【００１２】
フック部の左右両端のそれぞれに備えさせた延出部をフック部に交互に折り重ねて両延出部を連結手段にて連結する構成にすることによって、フック部の強度アップを図ることができ、重量のある衣類であっても、変形することなく、確実に吊り下げ支持することができる紙製ハンガーを提供することができる。しかも、左右方向に延出した延出部にてフック部を補強する構成であるから、従来のように２枚分の紙を必要とすることがなく、材料コストを低減することができる。また、一方の延出部に他方の延出部の左右方向遊端部を連結して環状のフック部を構成することによって、例えばフック部を固定部材に引っ掛けて衣類を吊り下げた状態においてフック部が水平方向に拡がって湾曲姿勢になることにより直線姿勢のものに比べて強度アップを図ることができ、フック部の変形をより回避することができるだけでなく、互いに間隔を開けて拡がったフック部と延出部とで支えることにより安定良く吊り下げ支持することができ、フック部が固定部材（引っ掛けている部材）から脱落することを防止することができる。
【００１３】
連結手段を、一方の延出部に形成した係止孔と、この係止孔に差し込まれて係止保持され、他方の延出部の左右方向遊端部に形成された係止部とから構成することによって、接着剤にて連結する場合に比べて、連結作業を迅速に行うことができる。
【００１４】
係止孔が形成された一方の延出部をフック部に折り曲げてから他方の延出部を折り曲げ、他方の延出部の係止部を一方の延出部の係止孔に差し込んで差し込まれた係止部が他方の延出部の内面とフック部の内面との間に位置させることによって、例えばフック部を固定部材に引っ掛けて衣類を吊り下げた状態においてフック部がより水平方向に拡がって湾曲姿勢になり易く、フック部と延出部との間隔がさらに拡がってより一層安定良く吊り下げ支持することができる。
【００１５】
他方の延出部の下端に、延出部をフック部側に折り曲げたときに本体部に重複する下側延出部を備えさせ、下側延出部を本体部に係止保持させるための係止孔を形成することによって、下側延出部を本体部に係止するだけで、他方の延出部を本体部に迅速に固定することができながらも、本体部の部位のうちの下側延出部にて重複する部位を下側延出部にて補強することができる。
【００１６】
本体部に、衣類を二つ折り状態で掛けるための開口を備えさせ、本体部の上端に上方に延びる上側突出部を備え、上側突出部を本体部の上端の折り曲げ線を介して折り曲げることにより、上側突出部の先端部が下向きとなって開口へ突出し、開口に掛けられた衣類を開口とで挟み込むための挟持部を構成することによって、例えば衣類であるズボンやスラックスを二つ折り状態で開口に掛けた状態で上側突出部と開口とで挟み込んで挟持固定することができる。
【００１７】
開口を形成する周縁のうちの下側縁を、本体部の下端から下方に延びる下側突出部を本体部側へ折り曲げることにより、衣類支持用補強部を構成し、折り曲げられた下側突出部の左右両側に備えさせた一対の係止部を、周縁の左右側縁に形成の係止孔に差し込み自在に構成し、係止部を係止孔に差し込んだ状態において挟持部を本体部側へ移動させて位置決めするための接当部を係止部に備えさせることによって、一対の係止部を周縁の左右側縁に形成の係止孔に差し込むだけで挟持部を本体部側へ押し付けて位置決めするための固定部材を兼用構成することができ、部材点数の削減化を図ることができる。
【００１８】
フック部の左右両側に延出された延出部の遊端部同士の寸法を、前記本体部の左右幅寸法とほぼ同等又は該左右幅寸法よりも小さく設定することによって、ほぼ一枚分の紙材で紙製ハンガーを作製することができ、材料コストをより一層削減することができる。
【発明を実施するための最良の形態】
【００１９】
図１及び図２（ａ），（ｂ）に、一枚の板紙を打ち抜いて構成した第１の紙製ハンガー１を示している。この紙製ハンガー１は、衣類の左右の肩の部分を掛けるために両端部側ほど下方に位置する傾斜面に構成された肩掛け部２，３を備えた本体部４と、この本体部４の左右方向ほぼ中央から上方に延びる吊り下げ用のフック部５と、このフック部５の左右両端のそれぞれに左右方向外方側へ延びる延出部６，７を備えさせ、それら延出部６，７を左右両端の折り曲げ部８，９を介して前記フック部５にそれの同一面側で交互に折り重ねるとともに、該先に折り重ねた一方（図では右側）の延出部６に後から折り重ねる他方の延出部６の左右方向遊端部を連結して平面視において円弧状（リング状）にするための連結手段Ａを備えさせている。
【００２０】
前記連結手段Ａを、前記一方の延出部６に形成した円弧形状の係止孔６Ｋと、この係止孔６Ｋに差し込まれて係止保持され、前記他方の延出部７の左右方向遊端部に形成された係止部７Ａとから構成することによって、接着剤などにより連結する場合に比べて連結作業を迅速に行うことができる利点があるが、接着剤を用いて連結して実施することもできる。
【００２１】
図１及び図２（ａ），（ｂ）では、他方の延出部７の上下方向及び左右方向の大きさを前記フック部５とほぼ同等の大きさに設定し、一方の延出部６の上下方向の大きさを前記フック部５とほぼ同等の大きさに設定し、かつ、左右方向の大きさをフック部５の左右幅の半分よりも小さな寸法（図ではフック部５の左右幅の約三分の一の寸法、つまり係止孔６Ｋを形成することができる程度の左右幅の寸法）に設定しているが、図３〜図１０に示すように、２つの延出部をフック部５とほぼ同等の大きさに形成して実施することもできる。
【００２２】
又、前記他方の延出部７の下端に、該延出部７をフック部５側に折り曲げたときに前記本体部４に重複する下側延出部７Ｂを備えさせ、この下側延出部７Ｂの２つの部位７Ｃ，７Ｄを本体部４に係止保持させるための円弧状の係止孔４Ａ，４Ｂを形成することによって、接着剤を用いる場合に比べて、一方の延出部７を本体部４に迅速に係止固定することができるだけでなく、下側延出部７Ｂにて本体部４を補強することができる利点があるが、前記下側延出部７Ｂを接着剤にて本体部４に固定してもよいし、又、下側延出部７Ｂを省略して実施することもできる。前記係止孔４Ａ，４Ｂの長手方向ほぼ中央部には、該係止孔４Ａ，４Ｂの長手方向と直交する切れ目４ａ，４ｂが形成されており、係止孔４Ａ，４Ｂへの下側延出部７Ｂの部位７Ｃ，７Ｄの係止を容易に行えるようにしているが、切れ目４ａ，４ｂは無くてもよい。前記下側延出部７Ｂの２つの部位７Ｃ，７Ｄを本体部４に係止保持させるための円弧状の係止孔４Ａ，４Ｂを形成することによって、下側延出部７Ｂを本体部４に２箇所で確実に係止固定することができる利点があるが、１箇所でのみ係止固定してもよいし、場合によっては３箇所以上で係止固定してもよい。
【００２３】
そして、図１に示すように、一枚の板紙を打ち抜いた状態から、図２（ａ）に示すように、前記一方（左側）の延出部６を前記フック部５側に折り曲げてから一方の延出部７を折り曲げ、前記他方の延出部７の係止部７Ａを前記一方の延出部６の係止孔６Ｋに差し込んで該差し込まれた係止部７Ａが該一方の延出部６の内面と前記フック部５の内面との間に位置させることによって、図２（ｂ）に示すように、折り曲げた両延出部６，７が折り曲げる前の状態側へ戻ろうとする力（復元力）が働くことで、一方の延出部７とフック部５のそれそれが左右方向中央側ほど膨れた湾曲形状になり、図の二点鎖線で示す固定部材としてのパイプ１０にフック部５を引っ掛けた状態において湾曲形状のフック部５とこれと所定間隔を置いて位置する延出部７とで安定良く掛けた状態を維持することができるようになっている。こののち、前記のように下側延出部７Ｂの２つの部位７Ｃ，７Ｄを本体部４の係止孔４Ａ，４Ｂに差し込んで係止固定することで、紙製ハンガー１が完成するようになっている。
【００２４】
図３、図４（ａ），（ｂ）及び図５に第２の紙製ハンガー１を示し、これは、本体部４を、折れ線４Ｃを介して二つに重ね合わせることができるほぼ三角形状の上下一対の本体構成部材２１，２２から構成し、前記他方（左側）の延出部６を前記フック部５とほぼ同一の大きさに構成している。前記一方（左側）の延出部６に、他方（右側）の延出部７に形成の上下一対の係止部７Ａ，７Ｃが差し込まれて係止固定するための上下一対の円弧状の係止孔６Ａ，６Ｂを形成し、前記一方の本体構成部材４Ａに、前記両延出部６，７に形成の係止部６Ｃ，７Ｄが差し込まれて係止固定するための円弧状の係止孔４Ｂを形成している。前記係止孔６Ａ，６Ｂ，４Ｂに、該係止孔の長手方向と直交する切れ目６ａ，６ｂ，４ｂを形成しているが、無くてもよい。又、前記他方の本体構成部材４Ｂに、図４（ａ）に示すように、一方の本体構成部材４Ａ側へ折り返して重ねた状態において前記係止孔４Ｂを露出させるための切欠き４Ｋを形成している。前記連結手段Ａは、一方（右側）の延出部７に形成の上下一対の係止部７Ａ，７Ｃと、他方（左側）の延出部６に形成の上下一対の係止孔６Ａ，６Ｂとからなっているが、一方の係止部７Ａ又は７Ｃと一方の係止孔６Ａ又は６Ｂとから構成してもよい。
【００２５】
従って、一枚の板紙を打ち抜いた状態の図３に示すものを用意し、前記他方（下側）の本体構成部材４Ｂを一方（上端にフック部５が形成されている上側）の本体構成部材４Ａ側に折り曲げて重ね合わせる（図４（ａ）参照）。次に、他方（左側）の延出部６をフック部５側へ折り曲げて延出部６の係止部６Ｃを本体構成部材４Ａの係止孔４Ｂへ差し込んで係止固定する（図４（ｂ）参照）。続いて、一方（右側）の延出部７をフック部５側へ折り曲げて他方の延出部６上に重ねると共に該延出部７の２つの係止部７Ａ，７Ｃを他方（左側）の延出部６の係止孔６Ａ，６Ｂに差し込んで両者を連結し、かつ、該該延出部７の残りの係止部７Ｄを本体構成部材４Ａの係止孔４Ｂへ差し込んで係止固定して、紙製ハンガー１を完成する（図５参照）。この場合も前記と同様に、折り曲げた両延出部６，７が折り曲げる前の状態側へ戻ろうとする力（復元力）が働くことで、一方の延出部７とフック部５のそれそれが左右方向中央側ほど膨れた湾曲形状になり、図の二点鎖線で示す固定部材としてのパイプ１０にフック部５を引っ掛けた状態において湾曲形状のフック部５とこれと所定間隔を置いて位置する延出部７とで安定良く掛けた状態を維持することができるようになっている。このとき、フック部５と延出部７の間に位置する延出部６は、延出部７の遊端部７Ｔにてフック部５側へ押されるため、ほぼ直線となりフック部５をさらに補強することができる補強部材になっている。
【００２６】
第３の紙製ハンガー１を、図６及び図７に示し、この紙製ハンガー１は、図３〜図５で示した紙製ハンガー１の本体部４を前記一方の本体構成部材４Ａのみで構成した場合を示し、他の部分は、同一であるため、同一符号を付し、説明を省略する。
【００２７】
第４の紙製ハンガー１を、図８〜図１０に示している。この紙製ハンガー１は、フック部５の左右両端に折り曲げ線８，９を介して延出された左右一対の延出部６，７を備え、前記一方の延出部７に備えさせた上側の係止部７Ａを差し込んで係止固定するための係止孔６Ａを他方の延出部６に形成し、本体部４に、衣類を二つ折り状態で掛けるための開口を形成するための周縁４Ｓを備え、周縁４Ｓを形成するために折り曲げ線４Ｕを介して上方へ立ち上げられる板部４Ｌに、前記一方の延出部７に備えさせた下側の係止部７Ｃを差し込んで係止固定するための係止孔４Ｐを形成し、前記本体部４の上端に上方に延びる左右一対の上側突出部１１，１２を備え、これら上側突出部１１，１２を本体部４の上端の折り曲げ線１１Ａ，１２Ａを介して折り曲げることにより、上側突出部１１，１２の先端部が下向きとなって前記板部４Ｌを立ち上げることで形成される開口４Ｚへ突出し、周縁４Ｓの下縁に掛けられた衣類（図示せず）を周縁４Ｓとで挟み込むための挟持部を上側突出部１１，１２にて構成することによって、例えば衣類であるズボンやスラックスを二つ折り状態で周縁４Ｓに掛けた状態で上側突出部１１，１２と周縁４Ｓとで挟み込んで挟持固定することができるようにしている。前記右側の上側突出部１２の先端部１２Ｃを折り曲げ線１２Ｂを介して折り曲げることにより、上側突出部１１のような紙の厚みだけで挟持するよりもその挟持力をアップさせることができる利点があるだけでなく、図１１に示すように、折り曲げ線１２Ｂの上下位置を変更することによって、周縁４Ｓとの隙間Ｓの大きさを変更することができる利点があるが、折り曲げないで実施することもできる。又、前記挟持部は左右２箇所に設ける方が好ましいが、いずれか一方のみ設けて（場合によっては左右方向中央位置でもよい）実施することもできるし、又、３箇所以上設けて実施することもできる。
【００２８】
又、前記本体部４を前記周縁４Ｓを形成するための切欠き４Ｊが形成された上側部４Ａと、この上側部４Ａの下端から下方に延びる下側突出部４Ｂとから構成し、下側突出部４Ｂを上側部４Ａの下端の折り曲げ線４Ｅを介して上側部４Ａ側へ折り曲げると共に下側突出部４Ｂの下端部（先端部）の上下方向に形成の２つの折り曲げ線４Ｆ，４Ｇを介して更に折り曲げることにより、箱形状の衣類支持用補強部Ｈを構成し、折り曲げられた下側突出部４Ｂの左右両側に備えさせた一対の係止部４Ｈ，４Ｉを、周縁４Ｓの左右側縁に形成の係止孔４Ｍ，４Ｎに差し込み自在に構成し、係止部４Ｈ，４Ｉを係止孔４Ｍ，４Ｎに差し込んだ状態において挟持部１１，１２を本体部４側へ移動させて位置決めするための接当部を係止部４Ｈ，４Ｉに兼用構成させることによって、一対の係止部４Ｈ，４Ｉを周縁４Ｓの左右側縁に形成の係止孔４Ｍ，４Ｎに差し込むだけで挟持部１１，１２を本体部４側へ押し付けて位置決めするための固定部材を兼用構成することができ、部材点数の削減化を図ることができるようにしているが、別の部材にて接当部を構成して実施することもできる。前記衣類支持用補強部Ｈは、前記上側部２１の下側部分と、箱状に折り曲げられる下側突出部２２とからなり、この下側突出部２２の下側で、かつ、前記左右の係止部４Ｈ，４Ｉ間に渡る位置に、折り曲げ線４Ｇ，４Ｆを介して上下に２分割された横長状の板部１５，１６を備えている。前記係止孔６Ａ，４Ｍ，４Ｎ，４Ｐの長手方向ほぼ中央部には、該係止孔６Ａ，４Ｍ，４Ｎ，４Ｐの長手方向と直交する切れ目６ａ，４ｍ，４ｎ，４ｐが形成されているが、無くてもよい。
【００２９】
前記下側突出部２２の下端に、前記周縁４Ｓから連続して形成され、かつ、上側部２１と下側突出部２２とに渡る範囲に形成されたＵの字状の切欠き４Ｘ及び上側部２１の該切欠き４Ｘに対して水平方向ほぼ同一位置に形成された係止孔４Ｙに係止固定するための左右一対の係止部１３，１４を形成している。
従って、一枚の板紙を打ち抜いた状態の図８に示すものを用意し、前記一方（左側）の延出部６を折り曲げ線８を介してフック部５側へ折り曲げて（図９（ａ）参照）から、挟持部１１，１２（予め右側の挟持部１２の先端１２Ｃも折り曲げ線１２Ｂを介して折り曲げておく）を折り曲げ線１１Ａ，１２Ａを介して本体部４側へ折り曲げるとともに、板部４Ｌを折り曲げ線４Ｕを介して上方へ折り曲げる（図９（ｂ）参照）。続いて、他方の延出部７を折り曲げ線９を介して本体部４側へ折り曲げるとともに、該延出部７の係止部７Ａを一方の延出部６の係止孔６Ａに差し込んで連結し、該延出部７の係止部７Ｃを板部４Ｌの係止孔４Ｐに差し込んで本体部４側に係止固定する（図１０（ａ）参照）。前記延出部７の係止部７Ａと延出部６の係止孔６Ａとから、前記連結手段Ａを構成している。この後、下側突出部２２を折り曲げ線４Ｅを介して上方へ折り曲げると共に板部１５，１６を折り曲げ線４Ｇ，４Ｆを介して折り曲げながら、係止部１３，１４を切欠き４Ｘ、係止孔４Ｙに係止保持させると同時に、左右の係止部４Ｈ，４Ｉを係止孔４Ｍ，４Ｎに差し込んで係止保持させ、紙製ハンガー１が完成するようになっている（図１０（ｂ）参照）。この場合も前記と同様に、折り曲げた両延出部６，７が折り曲げる前の状態側へ戻ろうとする力（復元力）が働くことで、一方の延出部７とフック部５のそれそれが左右方向中央側ほど膨れた湾曲形状になり、図１０（ｂ）の二点鎖線で示す固定部材としてのパイプ１０にフック部５を引っ掛けた状態において湾曲形状のフック部５とこれと所定間隔を置いて位置する延出部７とで安定良く掛けた状態を維持することができるようになっている。このとき、フック部５と延出部７の間に位置する延出部６は、延出部７の遊端部７Ｔにてフック部５側へ押されるため、ほぼ直線となりフック部５をさらに補強することができる補強部材になっている。
【００３０】
図３、図６及び図８に示した紙製ハンガー１では、フック部５の左右両側に延出された延出部６，７の遊端部同士の寸法Ｌを、前記本体部４の左右幅寸法ｌよりも少し小さく設定する（本体部４の左右幅寸法ｌと同等でもよい）ことによって、ほぼ一枚分の紙材で紙製ハンガー１を作製することができ、材料コストをより一層削減することができるが、フック部５の左右両側に延出された延出部６，７の遊端部同士の寸法が本体部４の左右幅寸法よりも大きく設定してもよい。尚、図１では、一方の延出部７の遊端部（図では右端部）が本体部４の右端部よりも大きく右側に食み出した状態を示している。前記紙製ハンガー１を構成するための紙材としては、段ボール、板紙などの紙単体でもよいし、紙の強度を高めるためにそれらを積層して一体化したものや、合成樹脂フィルムを積層した複合紙であってもよい。
【図面の簡単な説明】
【００３１】
【図１】一枚の板紙を打ち抜いて構成した第１の紙製ハンガーの正面図である。
【図２】第１の紙製ハンガーの斜視図を示し、（ａ）は一方の延出部を折り曲げた状態を示し、（ｂ）は完成した状態を示している。
【図３】一枚の板紙を打ち抜いて構成した第２の紙製ハンガーの正面図である。
【図４】第２の紙製ハンガーの斜視図であり、（ａ）はそれの下側突出部を上側へ折り曲げた状態を示し、（ｂ）は他方の延出部をフック部側へ折り曲げる直前の状態を示している。
【図５】第２の紙製ハンガーが完成した状態を示す斜視図である。
【図６】一枚の板紙を打ち抜いて構成した第３の紙製ハンガーの正面図である。
【図７】第３の紙製ハンガーが完成した状態を示す斜視図である。
【図８】一枚の板紙を打ち抜いて構成した第４の紙製ハンガーの正面図である。
【図９】第４の紙製ハンガーの斜視図を示し、（ａ）は一方の延出部をフック部側へ折り曲げた状態を示し、（ｂ）は挟持部及び板部を折り曲げた状態を示している。
【図１０】第４の紙製ハンガーの斜視図を示し、（ａ）は他方の延出部をフック部側へ折り曲げた状態を示し、（ｂ）は完成した状態を示している。
【図１１】第４の紙製ハンガーの右側の要部を示す正面図である。
【符号の説明】
【００３２】
１  紙製ハンガー
２，３  肩掛け部
４Ｚ  開口
４Ｓ  周縁
４Ａ，４Ｂ，４Ｐ，４Ｙ，４Ｍ，４Ｎ  係止孔
４Ｃ，４Ｕ，４Ｇ，４Ｆ，４Ｈ，４Ｉ  折り曲げ線
４Ｌ  板部
４ 本体部
４ａ，４ｂ  切れ目
５ フック部
６ 延出部
６Ｋ 係止孔
６Ａ 係止孔
６Ｃ 係止部
７ 延出部
７Ｂ 下側延出部
７Ａ，７Ｃ，７Ｄ 係止部
７Ｔ 遊端部
８，９  折り曲げ線
１０  パイプ
１１，１２  上側突出部（挟持部）
１１Ａ，１２Ａ  折り曲げ線
１２Ｃ 先端部
１２Ｂ 折り曲げ線
１３，１４  係止部
１５，１６  板部
２１，２２  本体構成部材
Ａ  連結手段
Ｈ  衣類支持用補強部
Ｌ  寸法
Ｓ  隙間
ｌ  左右幅寸法
【図１】
2006254936.tif 000003
【図２】
2006254936.tif 000004
【図３】
2006254936.tif 000005
【図４】
2006254936.tif 000006
【図５】
2006254936.tif 000007
【図６】
2006254936.tif 000008
【図７】
2006254936.tif 000009
【図８】
2006254936.tif 000010
【図９】
2006254936.tif 000011
【図１０】
2006254936.tif 000012
【図１１】
2006254936.tif 000013